(57)【要約】【課題】  本発明は、マイナスイオンの発生個数が多く、通気性、吸水性、脱臭性、抗菌性、遠赤外線効果を備え、しかも発生体の入手のしやすさをも解決した優れた寝具を提供する。【解決手段】  各種布団や枕等の寝具の内装材としてシラス粉末を用い、マイナスイオンを発生させることを特徴とするシラス粉末を用いた寝具であり、更に具体的に言えば、シラス粉末として、火山灰であるシラスを粉砕して得られる粉・粒状物又はシラスバル−ンのような該粉・粒状物の加工物を用いた寝具に係るものである。【特許請求の範囲】
【請求項１】
各種布団や枕等の寝具の内装材としてシラス粉末を用い、マイナスイオンを発生させることを特徴とするシラス粉末を用いた寝具。
【請求項２】
シラス粉末として、火山灰であるシラスを粉砕して得られる粉・粒状物又は該粉・粒状物の加工物を用いた請求項１記載のシラス粉末を用いた寝具。
【請求項３】
シラス粉末を粉砕して得られる粉・粒状物が、平均粒径１〜５０μｍに微粉砕した材料である請求項１又は２記載のシラス粉末を用いた寝具。
【請求項４】
シラス粉末が、火山灰であるシラスを粉砕した後、更に焼成して得られる平均粒径１〜５０μｍを持つシラスバル−ンである請求項１記載のシラス粉末を用いた寝具。
【請求項５】
シラス粉末を含む懸濁液を作製後、各種布団や枕等の寝具の内装材の表面に塗布させた請求項１乃至４いずれか１記載のシラス粉末を用いた寝具。
【請求項６】
シラス粉末を含む懸濁液を作製後、各種布団や枕等の寝具の内装材を当該懸濁液に浸漬し、その後乾燥貼着させた請求項１乃至４いずれか１記載のシラス粉末を用いた寝具。
【請求項７】
懸濁液は、水１００部とバインダー１００〜２００部を混合した液にシラス粉末を２〜５０部添加してなるエマルジョン型の水性懸濁液である請求項５又は６記載のシラス粉末を用いた寝具。
【請求項８】
バインダ−が、アクリル酸エステル系共重合体、ポリエステル系ウレタン、ポリエーテル系ウレタン、酢酸ビニル系共重合体である請求項７記載のシラス粉末を用いた寝具。
【発明の詳細な説明】
【技術分野】
【０００１】
本発明は、各種の布団や枕等の寝具に関し、更に詳しくは、内装材として、シラス粉末を採用したマイナスイオンを発生する寝具に係るものである。
【背景技術】
【０００２】
従来より、各種の布団の内装材としては、もめん綿、羊毛綿、羽毛、ウレタンフォ−ム等が一般的であり、枕の内装材としては、適度な硬さを与えるためにパンヤやプラスチックで形成した小筒状の小片やソバガラ等が用いられている。
【０００３】
これらの寝具にあって、通気性、吸水性、脱臭性、抗菌性を備えることが好適といわれているが、これに適する素材は比較的少なかった。
【０００４】
これらを解決するものとして特許文献１がある。かかる技術の内容は、掛け布団、敷き布団、枕等の寝具の内装材として、風化サンゴの骨格を用いたことを特徴とする寝具を提案している。
【０００５】
【特許文献１】特許第２７８７６５５号
【０００６】
さて、近年に至り、マイナスイオンが人体に良い効果を与えることから、寝具にもマイナスイオン発生体を用いることが試みられている。マイナスイオンが人体に良い影響を与えることが言われており、例えば、血管の拡張、血圧の正常化、血液のアルカリ性傾向、心身のリラックス、脈拍が減少する、疲労回復効果がある、等々が言われている。
【０００７】
マイナスイオン発生体の粉末を基材に担持させた技術がある（特許文献２）。しかるに、マイナスイオン発生体として、トルマリン、レアア−ス鉱石、希陽石、琥珀、ガ−ネット、風化サンゴ等が用いられている。
【０００８】
【特許文献２】特開２００３−１３８４７９号公報
【０００９】
ここに用いられているマイナスイオン発生体はいずれも資源的に少ない材料に類するものであり、比較的高価である。
【００１０】
しかるに、特許文献２中にマイナスイオン発生体の一例として風化サンゴの記載があり、これによって特許文献１に記載された風化サンゴを用いた寝具も又マイナスイオンの発生が予測される。
【発明の開示】
【発明が解決しようとする課題】
【００１１】
後述するように、風化サンゴを用いた寝具の場合にあっては、相当数のマイナスイオンを発生することが知られているが、風化サンゴであるためその入手にもやや難しい面がある。本発明はかかる従来技術による寝具に改良を加えたものであり、マイナスイオンの発生個数が多く、しかも、発生体の入手のしやすさをも解決した、優れた寝具を提供することを目的としたものである。
【課題を解決するための手段】
【００１２】
本発明の要旨は、各種布団や枕等の寝具の内装材としてシラス粉末を用い、マイナスイオンを発生させることを特徴とするシラス粉末を用いた寝具であり、更に具体的に言えば、シラス粉末として、火山灰であるシラスを粉砕して得られる粉・粒状物又は該粉・粒状物の加工物を用いた寝具に係るものである。
【発明の効果】
【００１３】
本発明の寝具にあっては、マイナスイオンの発生個数が多い安価な寝具が得られ、この他の特徴として、通気性、吸水性、脱臭性、抗菌性、遠赤外線効果等を兼ね備えた寝具が提供できたものである。
【発明を実施するための最良の形態】
【００１４】
本発明の寝具の構成は、寝具の内装材として、シラス粉末を用いた構成であり、更に具体的には、寝具の内装材として、シラス粉末を粉砕して得られる粉・粒状物又は粉・粒状物の加工物を用いた構成である。そして、シラス粉末から発生するマイナスイオンの発生個数が多いという知見から本発明に到達したものである。
【００１５】
即ち、本発明は、シラス粉末を原料とし、それらを粉砕して平均粒径１〜５０μｍに微粉砕した材料や、シラスを粉砕した後、更に焼成して得られる平均粒径１〜５０μｍを持つシラスバル−ンや、場合によっては、他の物質と混合成形してシート状、小筒状等に加工を施して、マイナスイオンの発生をもたらす寝具の内装物とするものである。更に言えば、通気性、吸水性、脱臭性、抗菌性、遠赤外線効果等を兼ね備えた寝具を提供できたものである。
【００１６】
本発明で用いられるシラス粉末は、安価な火山灰である原料のシラスを粉砕して１〜５０μｍの粒径とした粉体として乾燥させたものである。シラス粉末は酸化けい素、酸化アルミニウム及びナトリウム、鉄、カリウム等の酸化物からなる鉱物であり、水溶液のｐＨは６．０〜７．０程度である。そして、シラス加工物の一例としてのシラスバル−ンは、シラス粉末を１０００℃にて焼成・発泡させ、微粒のバル−ンとしたものであり、その取扱い易さに特徴がある。
【００１７】
尚、シラス粉末のバル−ン化については、非特許文献１等数多くの文献がありここではその詳細は省略する
【００１８】
【非特許文献１】粉体工学会誌３４巻、６９７〜７０３頁（１９９７）
【００１９】
シラス粉末の寝具に用いるには、寝具用素材の表面に粉末を貼着させる必要があり、この貼着させるには、シラス粉末を含む懸濁液を作製後、例えばウレタンフォ−ム等の発泡体の表面に塗布する方法や、クッション材として用いる羽毛や綿状の充填物を、シラス粉末を含む泥奨に浸漬した後、これを乾燥して固着させる方法が取られ得る。
【００２０】
シラス粉末の固着について更に言えば、上記懸濁液は水１００部とバインダー１００〜２００部を混合した液にシラス粉末を２〜５０部添加してなるエマルジョン型の水性懸濁液である。そのように調整した懸濁液をスプレーガン、コ−タ−、刷毛等をもって素材であるウレタンフォーム等の表面に塗布する。塗布量は塗布して乾燥後素材１ｍ２ 当たりの重量で表示される。貼着量は寝具の用途に応じて変えることができるが、５〜１００ｇ／ｍ２ 内に収められる。
【００２１】
尚、使用可能なバインダーの例としては、水に分散したアクリル酸エステル系共重合体、ポリエステル系ウレタン、ポリエーテル系ウレタン、酢酸ビニル系共重合体等で乾燥後粘弾性を持つ高分子のエマルジョンが用いられる。
【実施例】
【００２２】
（実施例）
懸濁液に使用するシラス粉末としては、火山灰であるシラス粉末を約１０００℃に焼成・発泡させてなる平均粒径およそ１４μｍのシラスバル−ンを用いた。そして、先ず溶媒である水１００部に対してバインダーとしてアクリル酸エステル系共重合体エマルジョン１５０部を加え均一な分散液を用意した。そこへ前記シラスバル−ンと、比較のためにカルシウム化合物である風化サンゴ及びこれとシラスとの混合物を用意し、これらを使ってイオン発生用の懸濁液を作製した。配合材としてのシラス、風化サンゴ、及びこれらの混合物は水１００部に対して３０部加えた。用意された懸濁液をプロファイル加工を施したウレタンフオ−ムに乾燥後の塗布量として約１０〜２０ｇ／ｍ２ になるように塗布し、下記の測定法に従ってイオン発生数を測定した。その結果は表１に示した。
【００２３】
（マイナスイオンの測定）
マイナスイオンはシラス粉末（シラスバル−ン）の入った塗膜に刺激を加えて発生させる。刺激の加え方としては、人の手の平、或いは動物性の毛でできた刷毛で、対象物の表面を縦方向或いは横方向に連続して擦る方法がとられる。擦る頻度は周波数にして２〜３Ｈｚ程度であるが、同様の刺激は機械に頼って加えても良い。
【００２４】
マイナスイオンの発生個数は神戸イオン商会製同軸円筒型電極を持つＫＳＴ−９００を使って測定した。前記の方法により発生したマイナスイオンは空気中に発散し易いため、測定に当たっては試料と測定器を外気の影響を受けない風防の中に入れ、刺激を加えてイオンが発生したところで直ちに測定器に吸引させた。観測されるイオン数は発生個数／ｃｃとして表示されるが、通常は所定の時間刺激を加えたときの時間平均値を単位発生量とした。
【００２５】
【表１】
2007097753.tif 000002
【００２６】
（測定結果）
表１から明らかなように、シラス粉末（シラスバル−ン）から発生するマイナスイオン発生個数は、同じ炭酸カルシウム塩から出発する風化サンゴ粉末に比べて５倍以上になり、しかも風化サンゴとの混合系においてもその配合比に拘わらず単体同等かそれ以上の効果を示した。この結果はシラス粉末（シラスバル−ン）が優れたマイナスイオン発生体であることを示している。
【産業上の利用可能性】
【００２７】
本発明は、安価で入手が極めて容易なほぼ無尽蔵のシラスを用い、この粉末を内装材として用いることによって、マイナスイオンの大量の発生を有し、更に、通気性、吸水性、脱臭性、抗菌性、遠赤外線効果等を備えた寝具が得られるものであり、掛け布団、敷き布団、枕のみならず、敷布、各種衣料品にも広く利用できるものである。